(57)【要約】【課題】居住者の好みにあわせた電気錠操作端末器を有効な操作端末器として、設定できる電気錠制御システムを提供する。【解決手段】電気錠制御器１と電気錠ユニット２との間には、少なくとも、シークレット操作器３、非接触照合器４などの異なる種別の電気錠操作端末器を介在させてなり、電気錠制御器１は、操作者の認証を有効とする電気錠制御端末器の選択設定をする設定操作手段１２と、選択設定されている電気錠操作端末器により、操作者の認証がされた場合には、電気錠ユニット２に対して電気錠を解錠させる制御手段１０とを備える。【選択図】図１
2005048454.tif 000002
【特許請求の範囲】
【請求項１】
電気錠ユニットを信号線を通じて電気錠制御器に接続して構成された電気錠制御システムにおいて、
上記電気錠制御器と電気錠ユニットとの間には、少なくとも、シークレット操作器、非接触照合器などの種別の異なる電気錠操作端末器を介在させてなり、
上記電気錠制御器は、操作者の認証を有効とする電気錠操作端末器の選択設定をする操作設定手段と、選択設定されている電気錠操作端末器の操作によって、操作者の認証が確認された場合には、電気錠ユニットを作動して電気錠を解錠させる制御手段とを備えることを特徴とする電気錠制御システム。
【請求項２】
請求項１において、
上記電気錠制御器は、予め上記操作設定手段によって登録されている電気錠操作端末器のすべてについての認証が確認されたときには、上記電気錠ユニットを作動して電気錠を解錠させることを特徴とする電気錠制御システム。
【請求項３】
請求項１において、
上記電気錠制御器は、予め上記操作設定手段によって登録されている電気錠制操作端末器による認証が、予め所定の順序に従ってなされたときに、上記電気錠ユニットを作動して電気錠を解錠させることを特徴とする電気錠制御システム。
【発明の詳細な説明】
【技術分野】
【０００１】
本発明は、電気錠ユニットを信号線を通じて電気錠制御器に接続して構成された電気錠制御システムの改良に関する。
【背景技術】
【０００２】
従来より一般住宅などにおいては、下記特許文献１に示すような電気錠制御システムが使用されている。
【０００３】
このものは、電気錠ユニットと、電気錠制御器とを備えるとともに、途中には、シークレット操作端末器を介在させており、電気錠制御器では、シークレット操作端末器から入力された暗証番号が一致して、操作者の認証が確認されたときに、電気錠制御器から電気錠ユニットには解錠信号が送られて、電気錠が解錠される構成になっている。
【特許文献１】特開平５−２５９６１号公報
【発明の開示】
【発明が解決しようとする課題】
【０００４】
ところで、近時にあっては、バイオメトリクス照合器や非接触キーなど、シークレット操作器のように暗証番号入力をせずに操作者の正当性を認証する操作端末器も開発されているが、集合住宅などにあっては、これらのうち１の機器があらかじめ設置され、システムが構築されているため、居住者が好みに合わせて操作端末器の種別を選択することができなかった。
【０００５】
また、非接触キーを設置したシステムでは、居住者がキーを家内に置き忘れてしまって家を出た場合は、電気錠制御器が自動ドアロック設定にされていれば勝手に電気錠を施錠してしまうため、キーを忘れた居住者は家内に入ることができないといった不便さもある。
【０００６】
そこで、本発明では、居住者の好みにあわせた操作端末器が選択設定でき、そのため、非接触キーを家内に置き忘れて外出してしまっても、電気錠を解錠させて取りに戻ることが容易な電気錠制御システムを提供することを目的とする。
【課題を解決するための手段】
【０００７】
上記目的を達成するために、請求項１のシステムでは、電気錠制御器と電気錠ユニットとの間には、少なくとも、シークレット操作器、非接触照合器などの電気錠操作端末器を介在させてなり、電気錠制御器は、操作者の認証を有効とする電気錠制御端末器の選択設定をする操作設定手段と、選択設定されている電気錠操作端末器により、操作者の認証がされた場合には、電気錠ユニットを解錠させる制御手段とを備える。
請求項２のシステムでは、電気錠制御器は、予め操作設定手段によって登録されている電気錠操作端末器のすべてが操作者の正当性を認証したときには、上記電気錠ユニットを作動して電気錠を解錠させることを特徴とする。
請求項３のシステムでは、電気錠制御器は、予め操作設定手段によって登録されている電気錠制操作端末器による認証が、予め所定の順序に従ってなされたときに、電気錠ユニットを作動して電気錠を解錠させることを特徴とする。
【発明の効果】
【０００８】
本発明の請求項１では、電気錠操作器と電気錠ユニットとの間には、少なくとも、シークレット操作器、非接触照合器などの種別の異なる電気錠操作端末器を介在させてなり、電気錠ユニットは、解錠操作を受け付けるべき電気錠制御端末器の選択設定をするようにしているので、居住者が好みにあわせた操作端末器を有効な操作端末器として選択的に設置でき、操作端末器として、シークレット操作器と非接触キーとを選択設定した場合には、非接触キーを家内に置き忘れて外出してしまっても、シークレット操作器を操作することによって、非接触キーを取りに戻ることが容易とできる。また、外出先から帰ってきた場合でもシークレット操作器を操作して家内に入ることができる。
また、複数の操作端末器は、電気錠ユニットと電気錠制御器との間に介在されているので、電気錠ユニット、操作端末器、電気錠制御器を１系統で接続し、いわゆる送り接続の構成と出来るので、配線の手間がかからず、また、配線もかさばらない。
請求項２のシステムでは、電気錠制御器は、複数の電気錠操作端末器による操作のすべてが、操作者の正当性を認証したときに初めて電気錠を解錠させるので、セキュリティ性が一層向上する。
請求項３のシステムでは、電気錠制御器は、複数の電気錠操作端末器による認証が、所定の順序に従っているときにのみ電気錠を解錠させるので、より一層のセキュリティの確保が図れる。
【発明を実施するための最良の形態】
【０００９】
【実施例１】
【００１０】
図１は、本発明システムの概略構成の一例を示す図である。
【００１１】
このシステムでは、電気錠ユニット１と電気錠制御器２とが組み合わされており、これらの間には、電気錠操作端末器としてシークレット操作器３、非接触リーダ４とが介在されている。
【００１２】
図２は、このシステムを構成する各機器の内部構成の一例を示す図である。電気錠制御器１は、この制御器１を制御し制御手段を構成するＣＰＵ１０と、データ入出力部１１と、有効な操作端末器の種別を設定する操作設定手段１２と、表示部１３とを備える。
電気錠ユニット２は、この電気錠ユニット２を制御するＣＰＵ２０と、データ入出力部２１と、電気錠を作動するため、ソレノイドやモータで構成された電気錠駆動部２２とを備える。
【００１３】
シークレット操作器３は、この操作器３を制御するＣＰＵ３０と、データ入出力部３１と、認証が確認できず、操作が不当な場合などに鳴動するブザー３２と、表示部３３と、暗証番号を入力するための番号入力部３４とを備える。
【００１４】
非接触リーダは、非接触キー（カード、タグなど）４‘と組み合わせて使用され、リーダ４は、このリーダ４を制御するＣＰＵ４０と、照合が不当な場合などに鳴動するブザー４１と、表示部４２と、データ入出力部４３と、キー４’から識別情報が重畳された電波信号を受信する受信部４４とを備える。一方のキー４‘は、ＣＰＵなどを有するＩＣ４５と、認証のための識別情報を電波信号で送出するアンテナ部４６とを備える。
【００１５】
このような構成のシステムでは、電気錠制御器１と電気錠ユニット２との間に介在させる電気錠操作端末器の種別や、個別の端末器について、認証操作を有効とすべきものを選択設定できるようにしている。
具体的には、電気錠制御器１のメモリに、システムを構成する、シークレット操作器３、非接触リーダ４に割り当てた種別情報や、それぞれの端末器のＩＤコードなどを識別情報として登録し、登録された識別情報が送出されてきたときには、その電気錠制御端末器からの操作指示を受け付ける。
【００１６】
ここに、選択設定された電気錠操作端末器の種別やＩＤコードは、操作設定手段１２の所定の操作によって表示部１３に表示させ確認できる。
【００１７】
このような構成により、電気錠操作端末器としてシークレット操作器３を設定した場合には、シークレット操作器３に入力された暗証番号は、電気錠制御器１へと送出され、その暗証番号に重畳された識別情報が登録されているためこれを有効とし、受けた暗証番号が、制御器２に登録されている暗証番号と一致すると電気錠ユニット２を作動して、解錠制御を行うが、一致しなければ電気錠ユニット２は作動させずに解錠制御は行わない。
【００１８】
また、電気錠操作端末器として非接触リーダ４を設定した場合には、非接触リーダ４が非接触キー４’より出力された識別情報を、電気錠制御器１に送出し、この識別番号は電気錠制御器１に予め登録されているのでこれを受けつけ、受けた識別情報が、電気錠制御器１に予め登録されている識別情報と一致すれば解錠指示が電気錠制御器２になされ、電気錠ユニット２を作動して解錠がなされる。
【００１９】
ここで、電気錠制御器１に登録されていない電気錠操作端末器からの種別情報やＩＤコードを受けても、これを受け付けず、電気錠の解錠は行わない。また、操作者の正当性の認証は、この例では、電気錠制御器１で行っているが、電気錠操作端末器において行い、その認証結果を制御器１に送り、制御器１で電気錠ユニット２へ送る制御信号を選択して施、解錠制御する構成にしてもよい。
したがって、このようなシステムによれば、居住者は、電気錠操作端末器を、居住者の好みによって選択することができ、また、シークレット操作器３と非接触リーダ４の双方設置し、双方を有効にするように登録した場合には、居住者が外出時に非接触キー４‘を家内に置き忘れた場合にも、その家が自動ロック設定であっても、シークレット操作器３を操作して家内に戻ることができる。
【００２０】
これについて図示したものが図３である。図３（ａ）は操作端末器３、４における認証照合が正当であった場合に電気錠ユニット２を解錠する例を示しており、図３（ｂ）は操作端末器３，４における認証照合が不当であった場合に電気錠ユニット２を解錠しない例を示している。
【００２１】
また、本発明システムは、たとえば、図４の動作もなす。
すなわち、この例では、採用する電気錠操作端末器として、シークレット操作器３と非接触リーダ４の双方を、電気錠制御器１に登録した場合の動作を示している。
この例では、電気錠操作端末器３，４からの暗証番号や識別情報は、認証情報として電気錠制御器１に送出される。
【００２２】
電気錠制御器１にはシステムに存在する電気錠操作端末器３，４の種別情報や識別情報があらかじめ登録されている。それぞれの電気錠操作端末器３，４からの認証情報を受け取るごとに、認証が正当かそうでないかを判定し、システムを構成する、すべての電気錠操作端末器３，４からの認証情報が送出され、すべての認証結果が正当であるときに初めて電気錠ユニット２を作動して、電気錠を解錠させる（１００〜１０２）。
【００２３】
すなわち、すべてのシステム内の電気錠操作端末器３，４で認証確認がなされ、それがすべてＯＫであったときに、電気錠ユニット２が作動され解錠される。したがって、一層確実なセキュリティが確保できる。
【００２４】
これについて図示したものが図５である。図５（ａ）、（ｂ）は、全ての操作端末器３，４での認証が正当である場合に電気錠ユニット２を作動して、電気錠を解錠する例を示しており、図５（ａ）はシークレット操作器３が最初に操作された場合を示し、図５（ｂ）は非接触キー４が最初に操作された場合を示す。
また、一方、図５（ｃ），（ｄ）は、操作端末器３，４のうち一つでも認証が不当であれば電気錠ユニット２は作動されず、電気錠は解錠されない例を示しており、図５（ｃ）はシークレット操作器３が最初に操作された場合を示し、図５（ｄ）は非接触キー４が最初に操作された場合を示す。
【００２５】
さらに、より確実なセキュリティ性を確保するため、図６に示す動作をすることもできる。
この場合、電気錠制御器１には、電気錠操作端末器３，４の種別や、識別情報だけでなく、順序も合わせて登録されている。例えば、シークレット操作器→非接触キー、非接触キー→シークレット操作器というように、各々の操作順序を登録している。
【００２６】
電気錠制御器１は、各操作端末器３，４から認証情報を受けるごとに、認証が正当であるかそうでないかを判定し、すべての操作端末器３，４から正当である旨の認証情報を受けたときには、その受信順番があらかじめ登録された順番であるかを判定し、そうである場合に限って電気錠ユニット２を作動して、解錠する（２００〜２０３）。これにより、より一層のセキュリティの確保を図ることができる。
【００２７】
これについて図示したものが図７である。図７（ａ）は電気錠操作端末器３，４の認証確認が正当でありそれが順番通りである場合に電気錠ユニット２を作動して、解錠する例を示しており、図７（ｂ）は、電気錠操作端末器３，４の操作順が登録と違えば電気錠ユニット２は作動せず、電気錠を解錠させない例を示している。
【産業上の利用可能性】
【００２８】
本発明システムは、集合住宅や一般住宅、オフィスビルなど、不法侵入者からセキュリティを確保する電気錠制御システムに対して適用できる。
【図面の簡単な説明】
【００２９】
【図１】本発明システムの概略構成の一例を示す図である。
【図２】本発明システムの主要な内部構成の一例を示すブロック図である。
【図３】本発明システムの基本動作の一例を説明するための図である。
【図４】本発明システムの基本動作の他例を説明するためのフローチャートである。
【図５】図４のシステムの基本動作について説明するための図である。
【図６】本発明システムの基本動作を説明するためのフローチャートである。
【図７】図６のシステムの基本動作について説明するための図である。
【符号の説明】
【００３０】
１・・・電気錠制御器
２・・・電気錠ユニット
３・・・シークレット操作部  
４・・・非接触リーダ
【図１】
2005048454.tif 000003
【図２】
2005048454.tif 000004
【図３】
2005048454.tif 000005
【図４】
2005048454.tif 000006
【図５】
2005048454.tif 000007
【図６】
2005048454.tif 000008
【図７】
2005048454.tif 000009